【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】  画像担持体と前記画像担持体上に光ビームを偏向走査させるためのスキャナと前記スキャナを回転駆動するためのスキャナモータとを有する画像形成手段と、
前記スキャナにより走査される光ビームの水平同期信号を生成する水平同期信号発生手段と、前記水平同期信号の間隔に応じて前記スキャナモータの加速または減速信号を出力する第１の加減速制御手段と、
前記スキャナモータの回転速度を所定の値に制御するための回転基準信号を出力する回転基準信号発生手段と、
前記水平同期信号と前記回転基準信号の位相を比較して位相遅れまたは位相進み信号を出力する第２の加減速制御手段とを備え、
前記スキャナモータの変速開始時は、前記第１の加減速制御手段からの出力される信号でのみ制御し、前記回転速度が所定の値になった時点で、前記回転位置信号に同期した信号を前記回転基準信号から出力し、前記第１の加減速制御手段からの信号と前記第２の加減速制御手段からの信号に応じて前記スキャナモータの駆動を制御する駆動制御手段とを備える画像形成装置。
【請求項２】  画像担持体と前記画像担持体上に光ビームを偏向走査させるためのスキャナと前記スキャナを回転駆動するためのスキャナモータとを有する画像形成手段と、
前記スキャナにより走査される光ビームの水平同期信号を生成する水平同期信号発生手段と、前記水平同期信号の間隔に応じて前記スキャナモータの加速または減速信号を出力する第１の加減速制御手段と、
前記スキャナモータの回転速度を第１の所定値に制御するための回転基準信号を出力する回転基準信号発生手段と、
前記水平同期信号と前記回転基準信号の位相を比較して位相遅れまたは位相進み信号を出力する第２の加減速制御手段とを備え、
前記スキャナモータの変速開始時は、前記第１の加減速制御手段からの出力される信号でのみ制御し、前記回転速度が第２の所定値になった時点で、前記回転位置信号に同期した信号を前記回転基準信号から出力し、前記第１の加減速制御手段からの信号と前記第２の加減速制御手段からの信号に応じて前記スキャナモータの駆動を制御する駆動制御手段とを備える画像形成装置。
【請求項３】  前記画像形成装置は、フルカラーモードと単色モードを有し、前記駆動制御手段は、フルカラーモード時に前記回転速度が所定値になった時点で、前記回転位置信号に同期した信号を前記回転基準信号から出力し、前記第１の加減速制御手段からの信号と前記第２の加減速制御手段からの信号に応じて前記スキャナモータの駆動を制御することを特徴とする請求項１または２記載の画像形成装置。
【請求項４】  前記駆動制御手段は、単色モード時は、前記第２の加減速制御手段からの出力される信号で前記スキャナモータの駆動を制御しないことを特徴とする請求項３記載の画像形成装置。
【請求項５】  画像担持体上に光ビームを偏向走査させるためのスキャナを回転駆動するスキャナモータの駆動を制御する画像形成装置の画像形成方法において、
前記スキャナにより走査される光ビームの水平同期信号を生成する水平同期信号発生ステップと、
前記水平同期信号の間隔に応じて前記スキャナモータの加速または減速信号を出力する第１の加減速制御ステップと、
前記スキャナモータの回転速度を所定の値に制御するための回転基準信号を出力する回転基準信号発生ステップと、
前記水平同期信号と前記回転基準信号の位相を比較して位相遅れまたは位相進み信号を出力する第２の加減速制御ステップとを備え、
前記スキャナモータの変速開始時は、前記第１の加減速制御ステップで出力される信号でのみ制御し、前記回転速度が前記所定の値になった時点で、前記回転位置信号に同期した信号を前記回転基準信号から出力し、前記第１の加減速制御ステップからの信号と前記第２の加減速制御ステップからの信号に応じて前記スキャナモータの駆動を制御する駆動制御ステップとを備える画像形成方法。
【請求項６】  画像担持体上に光ビームを偏向走査させるためのスキャナを回転駆動するスキャナモータの駆動を制御する画像形成装置の画像形成方法において、
前記スキャナにより走査される光ビームの水平同期信号を生成する水平同期信号発生ステップと、
前記水平同期信号の間隔に応じて前記スキャナモータの加速または減速信号を出力する第１の加減速制御ステップと、
前記スキャナモータの回転速度を第１の所定値に制御するための回転基準信号を出力する回転基準信号発生ステップと、
前記水平同期信号と前記回転基準信号の位相を比較して位相遅れまたは位相進み信号を出力する第２の加減速制御ステップとを備え、
前記スキャナモータの変速開始時は、前記第１の加減速制御ステップからの出力される信号でのみ制御し、前記回転速度が第２の所定値になった時点で、前記回転位置信号に同期した信号を前記回転基準信号から出力し、前記第１の加減速制御ステップからの信号と前記第２の加減速制御ステップからの信号に応じて前記スキャナモータの駆動を制御する駆動制御ステップとを備える画像形成方法。
【請求項７】  前記画像形成装置は、フルカラーモードと単色モードを有し、前記駆動制御ステップは、フルカラーモード時のみ前記回転速度が所定値になった時点で、前記回転位置信号に同期した信号を前記回転基準信号から出力し、前記第１の加減速制御ステップからの信号と前記第２の加減速制御ステップからの信号に応じて前記スキャナモータの駆動を制御することを特徴とする請求項５または６記載の画像形成装置。
【請求項８】  前記駆動制御ステップは、単色モード時は、前記第２の加減速制御ステップで前記スキャナモータの駆動を制御しないことを特徴とする請求項７記載の画像形成装置。
【請求項９】 画像信号によって変調された光ビームで画像担持体上を走査して画像を形成する画像形成手段と、前記光ビームを走査するためのスキャナを回転駆動するスキャナモータと、スキャナにより走査される光ビームの水平同期信号を生成する水平同期信号発生手段と、水平同期信号の間隔が所定範囲となるよう制御するスキャナモータ速度制御手段と、水平同期信号が基準クロックに対し所定位相範囲となるよう制御するスキャナモータ位相制御手段とを有する画像形成装置において、
前記スキャナモータの立ち上げ時は、前記スキャナモータ速度制御手段によって回転制御を行い、前記スキャナモータが目標速度に到達したことに応じて、前記スキャナモータ速度制御手段と前記スキャナモータ位相制御手段の両方による回転制御を開始する駆動制御手段を有することを特徴とする画像形成装置。
【請求項１０】 画像信号によって変調された光ビームで画像担持体上を走査して画像を形成する画像形成手段と、前記光ビームを走査するためのスキャナを回転駆動するスキャナモータと、スキャナにより走査される光ビームの水平同期信号を生成する水平同期信号発生手段と、水平同期信号の間隔が所定範囲となるよう制御するスキャナモータ速度制御手段と、水平同期信号が基準クロックに対し所定位相範囲となるよう制御するスキャナモータ位相制御手段とを有する画像形成装置において、
前記スキャナモータの立ち上げ時は、前記スキャナモータ速度制御手段によって回転制御を行い、前記スキャナモータが第一の速度に到達したことに応じて、前記スキャナモータ速度制御手段と前記スキャナモータ位相制御手段の両方による回転制御を開始して第二の速度に制御する駆動制御手段を有することを特徴とする画像形成装置。
【請求項１１】 前記画像形成装置は、フルカラーモードと単色モードを有し、前記駆動制御手段は、単色モードでは、前記スキャナモータ位相制御手段を使用せずに回転制御を行い、フルカラーモードでは、前記スキャナモータが前記目標速度または前記第一の速度に到達したことに応じて、前記スキャナモータ速度制御手段と前記スキャナモータ位相制御手段の両方による回転制御を開始することを特徴とする請求項９または１０記載の画像形成装置。
【請求項１２】 前記スキャナモータの立ち上げ時とは、前記スキャナモータの停止状態からの駆動開始であることを特徴とする請求項９または１０記載の画像形成装置。
【請求項１３】 前記スキャナモータの立ち上げ時とは、前記スキャナモータの変速を開始するときであることを特徴とする請求項９または１０記載の画像形成装置。
【手続補正２】
【補正対象書類名】明細書
【補正対象項目名】０００８
【補正方法】変更
【補正の内容】
【０００８】
【課題を解決するための手段】
上記目的を達成するため、請求項１に記載の発明は、画像担持体と前記画像担持体上に光ビームを偏向走査させるためのスキャナと前記スキャナを回転駆動するためのスキャナモータとを有する画像形成手段と、
前記スキャナにより走査される光ビームの水平同期信号を生成する水平同期信号発生手段と、前記水平同期信号の間隔に応じて前記スキャナモータの加速または減速信号を出力する第１の加減速制御手段と前記スキャナモータの回転速度を所定の値に制御するための回転基準信号を出力する回転基準信号発生手段と、前記水平同期信号と前記回転基準信号の位相を比較して位相遅れまたは位相進み信号を出力する第２の加減速制御手段とを備え、前記スキャナモータの変速開始時は、前記第１の加減速制御手段からの出力される信号でのみ制御し、前記回転速度が前記所定の値になった時点で、前記回転位置信号に同期した信号を前記回転基準信号から出力し、前記第１の加減速制御手段からの信号と前記第２の加減速制御手段からの信号に応じて前記スキャナモータの駆動を制御する駆動制御手段とを備えることを特徴とするものである。
【手続補正３】
【補正対象書類名】明細書
【補正対象項目名】０００９
【補正方法】変更
【補正の内容】
【０００９】
また、請求項２に記載の発明は、画像担持体と前記画像担持体上に光ビームを偏向走査させるためのスキャナと前記スキャナを回転駆動するためのスキャナモータとを有する画像形成手段と、前記スキャナにより走査される光ビームの水平同期信号を生成する水平同期信号発生手段と、前記水平同期信号の間隔に応じて前記スキャナモータの加速または減速信号を出力する第１の加減速制御手段と前記スキャナモータの回転速度を第１の所定値に制御するための回転基準信号を出力する回転基準信号発生手段と、前記水平同期信号と前記回転基準信号の位相を比較して位相遅れまたは位相進み信号を出力する第２の加減速制御手段とを備え、前記スキャナモータの変速開始時は、前記第１の加減速制御手段からの出力される信号でのみ制御し、前記回転速度が第２の所定値になった時点で、前記回転位置信号に同期した信号を前記回転基準信号から出力し、前記第１の加減速制御手段からの信号と前記第２の加減速制御手段からの信号に応じて前記スキャナモータの駆動を制御する駆動制御手段とを備えることを特徴とするものである。